(57)【要約】      （修正有）【課題】携帯用電子装置の音声制御動作を遠隔で実施する補助装置とファミリ・スマート・システムを提供する。【解決手段】補助装置１００は、通信ユニット１１０、音声受信ユニット１３０、音声再生ユニット１４０及び処理ユニット１５０を含む。処理ユニットは、音声受信ユニットによって第１の音声信号を受信して処理ユニットのプロセス・プログラムを起動し、音声受信ユニットによって第２の音声信号を受信して第２の音声信号を少なくとも１つの携帯用電子装置１９０に送信する。処理ユニットは、通信ユニットによって携帯用電子装置から送信された第３の音声信号を受信し、第３の音声信号に従ってプロセス・プログラムに対応する関係のある動作を実施し、第３の音声信号を音声再生ユニットに送信して、第３の音声信号を再生する。第３の音声信号は、第２の音声信号に対応する。第３の音声信号は、携帯用電子装置によって第２の音声信号に応答して生成される。【選択図】図１
0003209363.tif 000002
【実用新案登録請求の範囲】
【請求項１】
補助装置において、
通信ユニットと、
音声受信ユニットと、
音声再生ユニットと、
前記通信ユニットに結合された処理ユニットであって、前記音声受信ユニットおよび前記音声再生ユニットは、前記音声受信ユニットによって第１の音声信号を受信して前記処理ユニットの処理プロセスを開始させ、かつ前記音声受信ユニットによって第２の音声信号を受信して前記第２の音声信号を少なくとも１つの携帯用電子装置に前記通信ユニットを介して送信する、処理ユニットとを含み、
前記処理ユニットは、前記少なくとも１つの携帯用電子装置によって前記通信ユニットを介して送信された第３の音声信号を受信し、前記第３の音声信号に従って前記処理プロセスに対応する、対応する動作を実施し、そして前記第３の音声信号を前記音声再生ユニットに送信し、それによって前記第３の音声信号を再生し、
前記第３の音声信号は、前記第２の音声信号に対応し、前記第３の音声信号は、前記第２の音声信号に応答して前記少なくとも１つの携帯用電子装置によって生成される、補助装置。
【請求項２】
前記音声再生ユニットは、ホーンまたはスピーカである、請求項１に記載の補助装置。
【請求項３】
前記音声受信ユニットは、１つまたは複数のマイクロフォンを含む、請求項１に記載の補助装置。
【請求項４】
前記処理ユニットに結合され、外部装置に電力を供給する電源延長ソケットをさらに含む、請求項１に記載の補助装置。
【請求項５】
前記通信ユニットは、ＷｉＦｉ通信プロトコルまたは電力線通信プロトコルに適合する、または、前記ＷｉＦｉ通信プロトコルと前記電力線通信プロトコルとに同時に適合する、請求項１に記載の補助装置。
【請求項６】
対象が前記補助装置に接近しているのかどうかを検知して検知信号を生成する検知ユニットをさらに含み、
前記処理ユニットは、前記検知信号を受信し、前記検知信号に従って前記音声受信ユニットを始動させる、請求項１に記載の補助装置。
【請求項７】
請求項１に記載の複数の補助装置を含むシステムにおいて、
前記複数の補助装置は、互いに通信するので、前記少なくとも１つの携帯用電子装置は、前記第３の音声信号を前記複数の補助装置の１つに出力し、次いで前記補助装置は、前記第３の音声信号を残された補助装置に出力する、システム。
【請求項８】
前記少なくとも１つの携帯用電子装置の数は、１より大きく、
前記複数の補助装置の１つの処理ユニットが前記第１の音声信号を受信した後、前記処理ユニットは、前記第１の音声信号に対応する携帯用電子装置および前記携帯用電子装置と接続された補助装置を見つけ出し、それによって、前記第１の音声信号を受信した前記補助装置は、前記第２の音声信号を、前記携帯用電子装置と接続された前記補助装置に送信し、次いで前記携帯用電子装置と接続された前記補助装置は、前記第２の音声信号を前記対応する携帯用電子装置に送信し、前記携帯用電子装置と接続された前記補助装置は、前記対応する携帯用電子装置によって送信された前記第３の音声信号を受信し、次いで前記第３の音声信号を、前記第１の音声信号を受信した前記補助装置に送信する、請求項７に記載のシステム。
【請求項９】
ファミリ・スマート・システムにおいて、
少なくとも１つの補助装置であって、
第１の通信ユニット、
音声受信ユニット、
第１の音声再生ユニット、および
前記第１の通信ユニットに結合された第１の処理ユニットであって、前記音声受信ユニットおよび前記第１の音声再生ユニットは、前記音声受信ユニットによって第１の音声信号を受信して前記第１の処理ユニットの処理プロセスを開始させ、前記音声受信ユニットによって第２の音声信号を受信して、前記第２の音声信号を、前記第１の通信ユニットを介して出力する、第１の処理ユニットを含む、少なくとも１つの補助装置と、
少なくとも１つの本体であって、前記第１の通信ユニットに結合され、前記第２の音声信号を受信し、無線で前記第２の音声信号を前記少なくとも１つの携帯用電子装置に送信し、前記第２の音声信号に応答して前記少なくとも１つの携帯用電子装置によって生成された第３の音声信号を無線で受信する、少なくとも１つの本体とを含み、
前記第１の処理ユニットは、前記第３の音声信号を前記第１の通信ユニットを介して受信し、前記第３の音声信号に従って前記処理プロセスに対応する、対応する動作を実施し、そして前記第３の音声信号を前記第１の音声再生ユニットに送信し、それによって前記第３の音声信号を再生する、ファミリ・スマート・システム。
【請求項１０】
前記少なくとも１つの本体は、
前記第１の通信ユニットおよび前記少なくとも１つの携帯用電子装置に結合された第２の通信ユニットと、
第２の音声再生ユニットと、
前記第２の通信ユニットおよび前記第２の音声再生ユニットに結合された第２の処理ユニットであって、無線で前記第２の音声信号を前記第２の通信ユニットを介して受信し、前記第２の音声信号を前記少なくとも１つの携帯用電子装置に前記第２の通信ユニットを介して無線で送信する、第２の処理ユニットとを含み、
前記第２の処理ユニットは、前記第２の音声信号に応答して前記少なくとも１つの携帯用電子装置によって生成された前記第３の音声信号を前記第２の通信ユニットを介して受信し、前記第３の音声信号を前記第１の通信ユニットに前記第２の通信ユニットを介して出力する、請求項９に記載のファミリ・スマート・システム。
【請求項１１】
前記少なくとも１つの本体は、充電ユニットをさらに含み、
前記第２の処理ユニットは、前記充電ユニットに結合され、
前記第２の処理ユニットは、前記充電ユニットと前記少なくとも１つの携帯用電子装置との接続状態を検出し、
前記第２の処理ユニットは、前記第２の音声信号を前記第２の通信ユニットを介して無線で受信し、前記接続状態に従って、前記第２の音声信号を、前記少なくとも１つの携帯型装置に前記第２の通信ユニットを介して無線で送信する、請求項１０に記載のファミリ・スマート・システム。
【請求項１２】
前記第２の通信ユニットは、第１の通信プロトコルおよび第２の通信プロトコルを含み、
前記第２の通信ユニットは、前記少なくとも１つの携帯用電子装置に前記第１の通信プロトコルによって接続され、そして前記第１の通信ユニットに前記第２の通信プロトコルによって接続される、請求項１０に記載のファミリ・スマート・システム。
【請求項１３】
前記第１の通信プロトコルは、Ｂｌｕｅｔｏｏｔｈ（登録商標）通信プロトコルまたはＷｉＦｉ通信プロトコルであり、
前記第２の通信プロトコルは、ＷｉＦｉ通信プロトコルまたは電力線通信プロトコルである、請求項１２に記載のファミリ・スマート・システム。
【請求項１４】
前記第１の処理ユニットに結合され、外部装置に電力を供給する電源延長ソケットをさらに含む、請求項９に記載のファミリ・スマート・システム。
【請求項１５】
対象が前記少なくとも１つの補助装置に接近しているのかどうかを検知して検知信号を生成する検知ユニットをさらに含み、
前記第１の処理ユニットは、前記検知信号を受信し、前記検知信号に従って前記音声受信ユニットを始動させる、請求項９に記載のファミリ・スマート・システム。
【請求項１６】
前記第２の音声再生ユニットは、ホーンまたはスピーカである、請求項１０に記載のファミリ・スマート・システム。
【請求項１７】
前記第１の音声再生ユニットは、ホーンまたはスピーカである、請求項９に記載のファミリ・スマート・システム。
【請求項１８】
前記音声受信ユニットは、１つまたは複数のマイクロフォンを含む、請求項９に記載のファミリ・スマート・システム。
【請求項１９】
前記少なくとも１つの補助装置の数は、１より大きく、
前記少なくとも１つの本体は、前記第３の音声信号を、前記補助装置の１つに出力するので、前記補助装置の前記１つは、前記第３の音声信号に従って前記処理プロセスに対応する、前記対応する動作を実施し、前記第３の音声信号を再生する、請求項９に記載のファミリ・スマート・システム。
【請求項２０】
前記補助装置は、互いに通信するので、前記少なくとも１つの本体は、前記第３の音声信号を前記補助装置の１つに出力し、次いで前記補助装置は、前記第３の音声信号を残された補助装置に出力する、請求項１９に記載のファミリ・スマート・システム。
【請求項２１】
前記少なくとも１つの補助装置の数は、１より大きく、
前記少なくとも１つの携帯用電子装置の数は、１より大きく、
前記少なくとも１つの本体の数は、１より大きく、
前記携帯用電子装置は、それぞれ、前記本体に対応して、それに接続され、
前記補助装置の１つの第１の処理ユニットが前記第１の音声信号を受信した後、前記第１の処理ユニットは、前記第１の音声信号に対応する携帯用電子装置および前記携帯用電子装置に接続された本体を見つけ出し、それによって前記第１の音声信号を受信した前記補助装置は、前記第２の音声信号を、前記携帯用電子装置に接続された前記本体に出力し、前記携帯用電子装置に接続された前記本体は、前記第２の音声信号を前記対応する携帯用電子装置に送信し、そして前記携帯用電子装置に接続された前記本体は、前記対応する携帯用電子装置によって送信された前記第３の音声信号を受信し、前記第３の音声信号を、前記第１の音声信号を直接、または他の本体または他の補助装置を介して受信した前記補助装置に出力する、請求項９に記載のファミリ・スマート・システム。
【考案の詳細な説明】
【技術分野】
【０００１】
本願は、２０１５年１２月３１出願の台湾特許出願第１０４１４４７９９号および２０１６年８月１日出願の台湾特許出願第１０５１２４３６６号に基づき優先権を主張するものであり、その開示全体は、参照によって本明細書に援用される。
【０００２】
この開示は、一般的には補助装置に関し、より具体的には、遠隔で携帯用電子装置に対して音声制御動作を実施するための補助装置およびファミリ・スマート・システムに関する。
【背景技術】
【０００３】
科学と技術の進歩に伴い、スマートフォン、タブレット・コンピュータなど、携帯用電子装置は、日々の生活に必須なものになっている。現在、携帯用電子装置の多くは、音声制御機能を備えて構成されている、すなわち、ユーザは、ユーザが出した音声に従って携帯用電子装置が対応する動作を実施するように、音声を出すことによって携帯用電子装置を制御することができる。
【０００４】
一般に、ユーザが携帯用電子装置に対して音声制御動作を行うことを望んだとき、ユーザは、通常、携帯用電子装置の近くのみで音声制御動作を行うことが可能である。しかし、ユーザは、携帯用電子装置の近くにいつもいるとは限らない、たとえば、ユーザは、オフィスＡまたは部屋Ａにいる場合があり、携帯用電子装置は、オフィスＢまたは部屋Ｂに位置している。ユーザが携帯用電子装置に対して音声制御動作を行いたいと望んだ場合、ユーザは、音声制御動作を行うために、オフィスＡまたは部屋ＡからオフィスＢまたは部屋Ｂに移動する必要があり、それによって使用が不便になる。したがって、携帯用電子装置に対する音声制御動作には改良が必要である。
【考案の概要】
【考案が解決しようとする課題】
【０００５】
本開示は、音声制御動作が遠距離で携帯用電子装置に対して実施され、それによって使用の便利さを向上させるような補助装置およびファミリ・スマート・システムを提示する。
【課題を解決するための手段】
【０００６】
本開示は、補助装置を提示し、この補助装置は、通信ユニット、音声受信ユニット、音声再生ユニットおよび処理ユニットを含む。処理ユニットは、通信ユニット、音声受信ユニットおよび音声再生ユニットに結合される。処理ユニットは、音声受信ユニットによって第１の音声信号を受信して、処理ユニットの処理プロセスを開始させ、そして音声受信ユニットによって第２の音声信号を受信して、第２の音声信号を少なくとも１つの携帯用電子装置に通信ユニットを介して送信する。処理ユニットは、通信ユニットを介して少なくとも１つの携帯用電子装置によって送信された第３の音声信号を受信して、第３の音声信号に従って処理プロセスに対応する、対応する動作を実施し、そして第３の音声信号を音声再生ユニットに送信して、第３の音声信号を再生する。第３の音声信号は、第２の音声信号に対応し、第３の音声信号は、第２の音声信号に応答して少なくとも１つの携帯用電子装置によって生成される。
【０００７】
本開示は、上記に言及した複数の補助装置を含むシステムをさらに提示し、複数の補助装置は、互いに通信し、少なくとも１つの携帯用電子装置は、第３の音声信号を複数の補助装置の１つに出力し、次いで補助装置は、第３の音声信号を残された補助装置に出力する。
【０００８】
本開示は、ファミリ・スマート・システムをさらに提示し、このファミリ・スマート・システムは、少なくとも１つの補助装置および少なくとも１つの本体を含む。少なくとも１つの補助装置は、第１の通信ユニット、音声受信ユニット、第１の音声再生ユニット、第１の処理ユニットを含む。第１の処理ユニットは、第１の通信ユニット、音声受信ユニットおよび第１の音声再生ユニットに結合される。第１の処理ユニットは、音声受信ユニットによって第１の音声信号を受信して、第１の処理ユニットの処理プロセスを開始させ、そして音声受信ユニットによって第２の音声信号を受信して、第２の音声信号を、第１の通信ユニットを介して出力する。少なくとも１つの本体は、第１の通信ユニットに結合され、第２の音声信号を受信し、第２の音声信号を少なくとも１つの携帯用電子装置に無線で送信し、そして第２の音声信号に応答して少なくとも１つの携帯用電子装置によって生成された第３の音声信号を無線で受信する。第１の処理ユニットは、第３の音声信号を、第１の通信ユニットを介して受信し、第３の音声信号に従って処理プロセスに対応する、対応する動作を実施し、そして第３の音声信号を第１の音声再生ユニットに送信して、第３の音声信号を再生する。
【０００９】
本開示の補助装置およびファミリ・スマート・システムによれば、補助装置は、ユーザによって生成された第２の音声信号を少なくとも１つの携帯用電子装置に送信して処理する、または補助装置および本体は、ユーザによって生成された第２の音声信号を少なくとも１つの携帯用電子装置に送信して処理する。次いで補助装置は、第２の音声信号に応答して少なくとも１つの携帯用電子装置によって生成された第３の音声信号を受信して、第３の音声信号に従って対応する動作を実施し、第２の音声信号に対応する第３の音声信号を再生する、または補助装置および本体は、第２の音声信号に応答して少なくとも１つの携帯用電子装置によって生成された第３の音声信号を受信して、第３の音声信号に従って対応する動作を実施し、第２の音声信号に対応する第３の音声信号を再生する。したがって、ユーザは、少なくとも１つの携帯用電子装置に対して音声制御動作を、補助装置、または補助装置および本体を介して遠距離でやはり実施することができ、それによって、使用の便利さが向上される。
【００１０】
しかし、この概要は本考案のすべての態様および実施形態を含んでいない可能性があり、この概要にはいかなる限定または制限も意図されておらず、本明細書に開示する考案は、明らかな改良および変更を包含するものとして当業者に理解されるであろうということを理解されたい。
【００１１】
新規であると考える例示の実施形態の特徴、および例示の実施形態の要素および／またはステップの特性は、添付の請求項で詳細に述べられている。図は、例示するためだけであり、縮尺の通りではない。例示の実施形態は、動作の組織および方法の両方に関して、次の詳細な記載を参照して添付図面と併せて検討すると最善に理解することができる。
【図面の簡単な説明】
【００１２】
【図１】本開示の実施形態による補助装置の概略図である。
【図２】本開示の実施形態による補助装置の別の概略図である。
【図３】本開示の実施形態によるファミリ・スマート・システムの概略図である。
【図４】本開示の実施形態による本体の概略図である。
【図５】本開示の別の実施形態によるファミリ・スマート・システムの概略図である。
【図６】本開示の実施形態による複数の補助装置の概略図である。
【図７】本開示の実施形態によるファミリ・スマート・システムの別の概略図である。
【考案を実施するための形態】
【００１３】
ここで、添付図面を参照してより完全に本開示を以降に述べることにし、本考案の例示の実施形態を示す。しかし、この開示は、多くの異なる形態で具体化することができ、本明細書に述べる実施形態に限定するものと解釈すべきでない。むしろ、これらの実施形態は、この開示が徹底的で完全なものになるように、かつ本開示の範囲を当業者に完全に伝えるものになるように提示されている。
【００１４】
次の実施形態では、同じ参照数字は、同じ、または同様の要素をいうために至る所で使用されている。
【００１５】
図１は、本開示の実施形態による補助装置の概略図を示す。本開示の補助装置１００は、会社または住宅など、局所的な小さな領域中で構成され、さらに、会社のオフィスまたは住宅の部屋中で構成することができる。
【００１６】
補助装置１００は、通信ユニット１１０、音声受信ユニット１３０、音声再生ユニット１４０および処理ユニット１５０を含む。通信ユニット１１０は、有線または無線を採用することができる、または有線および無線を同時に装備することができる。無線は、たとえば無線ＬＡＮに接続するために、ワイヤレス・フィディリティ（ＷｉＦｉ）通信プロトコルを採用することができる。有線は、たとえば電力線ネットワークとしても知られている電力線通信（ＰＬＣ：power line communication）プロトコルを採用することができる。これは、既存の電力線を使用してデジタル信号処理方法でデータまたは情報を送信するための技法である。本実施形態では、通信ユニット１１０は、第１の通信プロトコルおよび第２の通信プロトコルなど、有線および無線を含む。通信ユニット１１０は、たとえば携帯用電子装置１９０に第１の通信プロトコルを介して接続され、通信ユニット１１０は、たとえば他の補助装置に第２の通信プロトコルを介して接続される。本実施形態では、第１の通信プロトコルは、たとえばＢｌｕｅｔｏｏｔｈ（登録商標）またはＷｉＦｉであり、第２の通信プロトコルは、たとえばＷｉＦｉまたはＰＬＣである。したがって、通信ユニット１００は、ＷｉＦｉ通信プロトコルまたは電力線通信プロトコルに適合する、またはＷｉＦｉ通信プロトコルおよび電力線通信プロトコルに同時に適合する。
【００１７】
音声受信ユニット１３０は、外部音声信号を受信するために、たとえば１つまたは複数のマイクロフォンを含む。音声再生ユニット１４０は、音声信号を再生するための、たとえばホーンまたはスピーカである。
【００１８】
処理ユニット１５０は、通信ユニット１１０、音声受信ユニット１３０および音声再生ユニット１４０に結合され、音声受信ユニット１３０によって第１の音声信号を受信して、処理ユニット１５０の処理プロセスを開始させ、そして音声受信ユニット１３０によって第２の音声信号を受信して、第２の音声信号を携帯用電子装置１９０に通信ユニット１１０を介して送信する。
【００１９】
具体的に、音声受信ユニット１３０が始動された後、処理ユニット１５０は、第１の音声信号を、音声受信ユニット１３０を介して受信し、そして処理ユニット１５０の処理プロセスを開始して、その後に続く処理を実施する。次いで、処理ユニット１５０は、第２の音声信号を、音声受信ユニット１３０を介して受信し、そして第２の音声信号を携帯用電子装置１９０に通信ユニット１１０を介して送信する。本実施形態では、携帯用電子装置１９０は、スマートフォンまたはタブレット・コンピュータとすることができ、そこでアプリケーションを実施することができ、それによって音声制御モードを開始させる。第１の音声信号および第２の音声信号は、たとえばユーザによって生成することができる。
【００２０】
その後、携帯用電子装置１９０が第２の音声信号を受信したとき、携帯用電子装置１９０は、第２の音声信号に対応するアプリケーションを実施することができ、それに応じて第２の音声信号を処理し、それによって第２の音声信号に応答して第３の音声信号を生成する。
【００２１】
処理ユニット１５０は、携帯用電子装置１９０によって送信された第３の音声信号を、通信ユニット１１０を介して無線で受信し、第３の音声信号に従って処理プロセスに対応する、対応する動作を実施し、そして第３の音声信号を音声再生ユニット１４０に送信し、それによって音声再生ユニット１４０は、第３の音声信号を再生することができる。したがって、ユーザおよび携帯用電子装置１９０が異なるオフィスまたは部屋に位置するとき、ユーザは、携帯用電子装置１９０に対して音声制御動作を、補助装置１００を介して遠距離でやはり実施することができ、そして第３の音声信号を介してユーザによって生成された第２の音声信号に対応する処理結果を得ることができ、それによって使用の便利さが向上される。
【００２２】
別の実施形態では、図１に示すように、補助装置１００は、検知ユニット１２０をさらに含む。検知ユニット１２０は、対象が補助装置１００に接近しているのかどうかを検出して、検知信号を生成する。対象は、たとえばユーザであり、検知ユニット１２０は、たとえば赤外線センサまたは画像センサである。たとえば、対象が補助装置１００に接近していることを、検知ユニット１２０が検知したとき、検知ユニット１２０は、たとえば論理レベルがハイである検知信号を生成し、論理レベルがハイである検知信号は、対象が検知ユニット１２０の検知範囲内に現れたことを示す。対象が補助装置１００に接近していないことを、検知ユニット１２０が検知したとき、検知ユニット１２０は、たとえば論理レベルがローである検知信号を生成し、論理レベルがローである検知信号は、対象が、検知ユニット１２０の検知範囲にいないことを示す。
【００２３】
この実施形態では、処理ユニット１５０は、検知信号を受信し、検知信号によって音声受信ユニット１３０を始動させる。すなわち、処理ユニット１５０が受信した検知信号がハイの論理レベルであるとき、処理ユニット１５０は、始動信号を生成することができて音声受信ユニット１３０を始動させ、それによって音声受信ユニット１３０は、音声信号を受信するための動作を実施することができる。処理ユニット１５０が受信した検知信号が、ローの論理レベルであるとき、処理ユニット１５０は、始動信号を生成せず、音声受信ユニット１３０を始動させないので、音声受信ユニット１３０は、音声信号を受信するための動作を実施しない。
【００２４】
別の実施形態では、補助装置１００は、電源延長ソケット１６０をさらに含む。電源延長ソケット１６０は、処理ユニット１５０に結合され、電源延長ソケット１６０は、電源延長ソケット１６０に接続された外部装置に電力を供給することができる。補助装置１１０は、作動電力を得るために会社または住宅中の電源ソケットに直接接続することができ、電源ソケットを占有することがあるので、補助装置１００上に配置された電源延長ソケット１６０は、外部装置に追加で電力を供給することができ、また、それゆえ使用の便利さを向上させる。
【００２５】
図２は、本開示の実施形態による補助装置の別の概略図を示す。携帯用電子装置１９０は、複数の補助装置１００＿１〜１００＿Ｎと通信する。補助装置１００＿１〜１００＿Ｎは、会社または住宅など、局所的な小さな領域中で構成され、さらに、会社のオフィスまたは住宅の部屋中で構成することができる。さらに、補助装置１００＿１〜１００＿Ｎは、また、互いに通信することができるので、携帯用電子装置１９０は、第３の音声信号を、補助装置１００＿１など、第２の音声信号を生成した対応する補助装置に送信することができ、次いで第３の音声信号は、同時に他の補助装置１００＿２〜１００＿Ｎに補助装置１００＿１を介して出力される、または第３の音声信号は、１つの送信方法によって補助装置を介して順々に送信され（たとえば、補助装置１００＿１が第３の音声信号を補助装置１００＿２に送信し、補助装置１００＿２が第３の音声信号を補助装置１００＿３に送信し、次々と、補助装置１００＿Ｎ−１が第３の音声信号を補助装置１００＿Ｎに送信する）、それによって補助装置１００＿１〜１００＿Ｎは、処理プロセスに対応する、対応する動作を実施し、第２の音声信号に対応して第３の音声信号を再生する。
【００２６】
補助装置１００＿１〜１００＿Ｎの内部構成要素および関連する動作については、図１の補助装置１００の実施形態の説明を参照できるので、説明を省略する。
【００２７】
図３は、本開示の実施形態によるファミリ・スマート・システムの概略図を示す。ファミリ・スマート・システム５００は、補助装置５１０および本体５５０を含む。ファミリ・スマート・システム５００は、会社または住宅など、局所的な小さな領域中で構成され、補助装置５１０および本体５５０は、会社の異なるオフィス中で、または住宅の異なる部屋中で構成される。
【００２８】
補助装置５１０は、第１の通信ユニット５１２、検知ユニット５１４、音声受信ユニット５１６、第１の音声再生ユニット５１８および第１の処理ユニット５２０を含む。第１の通信ユニット５１２、音声受信ユニット５１６および第１の音声再生ユニット５１８は、図１の通信ユニット１１０、音声受信ユニット１３０および音声再生ユニット１４０と同じまたは同様であり、それらについては図１の実施形態の説明を参照できるので、説明を省略する。別の実施形態では、補助装置５１０は、検知ユニット５１４を含み、検知ユニット５１４もまた検知ユニット１２０と同様であり、図１の実施形態の説明を参照できるので、説明を省略する。
【００２９】
第１の処理ユニット５２０は、第１の通信ユニット５１２、音声受信ユニット５１６および第１の音声再生ユニット５１８に結合される。
【００３０】
音声受信ユニット５１６が始動された後、第１の処理ユニット５２０は、第１の音声信号を、音声受信ユニット５１６を介して受信し、そして第１の処理ユニット５２０の処理プロセスを開始してその後に続く処理を実施する。次いで、第１の処理ユニット５２０は、第２の音声信号を、音声受信ユニット５１６を介して受信し、そして第２の音声信号を本体５５０に第１の通信ユニット５１２を介して送信する。第１の音声信号および第２の音声信号は、たとえばユーザによって生成されたものである。一実施形態では、本体５５０は、無線で第１の通信ユニット５１２に結合され、無線は、たとえばＷｉＦｉである。別の実施形態では、本体５５０は、有線で第１の通信ユニット５１２に結合され、有線は、たとえば電力線制御（ＰＬＣ）である。
【００３１】
本体５５０は、第１の通信ユニット５１２と通信し、第２の音声信号を受信し、そして無線で第２の音声信号を携帯用電子装置１９０に送信する。本実施形態では、携帯用電子装置１９０は、スマートフォンまたはタブレット・コンピュータとすることができ、そこでアプリケーションは、実施することができ、それによって音声制御モードを開始させる。
【００３２】
その後、携帯用電子装置１９０が第２の音声信号を受信したとき、携帯用電子装置１９０は、第２の音声信号に対応するアプリケーションを実施することができて、それに応じて第２の音声信号を処理し、それによって第２の音声信号に応答して第３の音声信号を生成する。
【００３３】
本体５５０は、第２の音声信号に応答して携帯用電子装置１９０によって生成された第３の音声信号を無線で受信することができ、第３の音声信号を第１の通信ユニット５１２に出力する。
【００３４】
そして、補助装置５１０の第１の処理ユニット５２０は、第３の音声信号を、第１の通信ユニット５１２を介して受信し、第３の音声信号に従って処理プロセスに対応する、対応する動作を実施し、そして第３の音声信号を音声再生ユニット５１８に送信して、第３の音声信号を再生する。したがって、ユーザおよび携帯用電子装置１９０が異なるオフィスまたは部屋に位置しているとき、ユーザは、補助装置５１０および本体５５０を介して遠距離で携帯用電子装置１９０に対して音声制御動作をやはり実施することができ、ユーザによって生成された第２の音声信号に対応する処理結果を第３の音声信号を介して得ることができ、それによって使用の便利さが向上される。
【００３５】
別の実施形態では、図３に示すように、補助装置５１０は、検知ユニット５１４をさらに含む。検知ユニット５１４は、対象が補助装置５１０に接近しているのかどうかを検知して、検知信号を生成する。対象は、たとえばユーザであり、検知ユニット５１４は、たとえば赤外線センサまたは画像センサである。たとえば、検知ユニット５１４は、対象が補助装置５１０に接近していることを検知したとき、検知ユニット５１４は、たとえば論理レベルがハイである検知信号を生成し、論理レベルがハイである検知信号は、対象が検知ユニット５１４の検知範囲内に現れたことを示す。検知ユニット５１４は、対象が補助装置５１０に接近していないことを検知したとき、検知ユニット５１４は、たとえば論理レベルがローである検知信号を生成し、論理レベルがローである検知信号は、対象が検知ユニット５１４の検知範囲内に現れていないことを示す。
【００３６】
この実施形態では、第１の処理ユニット５２０は、検知信号を受信し、検知信号に従って音声受信ユニット５１６を始動させる。すなわち、第１の処理ユニット５２０が受信した検知信号がハイの論理レベルであったとき、第１の処理ユニット５２０は、始動信号を生成することができて音声受信ユニット５１６を始動させ、それによって音声受信ユニット５１６は、音声信号を受信するための動作を実施することができる。第１の処理ユニット５２０が受信した検知信号がローの論理レベルであったとき、処理ユニット５２０は、始動信号を生成せず、音声受信ユニット５１６を始動させないので、音声受信ユニット５１６は、音声信号を受信するための動作を実施しない。
【００３７】
別の実施形態では、補助装置５１０は、電源延長ソケット５２２をさらに含む。電源延長ソケット５２２は、処理ユニット５２０に結合され、電源延長ソケット５２２は、電源延長ソケット５２２に接続された外部装置に電力を供給することができる。補助装置５１０は、作動電力を得るために会社または住宅中で電源ソケットに直接接続することができ、電源ソケットを占有することがあるので、補助装置５１０上に配置された電源延長ソケット５２２は、外部装置に電力を追加で供給することができ、また、それゆえ使用の便利さを向上させる。
【００３８】
上記の実施形態は、本体５５０の関連する動作を単に述べたものであり、本体５５０の詳細な内部構造は、以下で述べる。
【００３９】
図４は、本開示の実施形態による本体の概略図を示す。本体５５０は、充電ユニット３１０、第２の通信ユニット３２０、第２の音声再生ユニット３３０および第２の処理ユニット３４０を含む。
【００４０】
充電ユニット３１０は、携帯用電子装置１９０に接続するのに適している。すなわち、携帯用電子装置１９０が、ユーザによって充電ユニット３１０に接続されたとき、充電ユニット３１０は、携帯用電子装置１９０を充電することができる。
【００４１】
第２の通信ユニット３２０は、第１の通信ユニットおよび携帯用電子装置１９０に結合される。第２の通信ユニット３２０は、たとえば第１の通信プロトコルおよび第２の通信プロトコルを含み、第２の通信ユニット３２０は、たとえば携帯用電子装置１９０に第１の通信プロトコルを介して接続され、第２の通信ユニット３２０は、たとえば第１の通信ユニットに第２の通信プロトコルを介して接続される。本実施形態では、第１の通信プロトコルは、たとえばＢｌｕｅｔｏｏｔｈ（登録商標）またはＷｉＦｉであり、第２の通信プロトコルは、たとえばＷｉＦｉまたはＰＬＣである。このとき、第１の通信ユニット５１２は、たとえばＷｉＦｉ通信プロトコルまたは電力線通信プロトコルを含む。
【００４２】
第１の通信プロトコルがＷｉＦｉであるとき、本体５５０は、充電ユニット３１０を含むことができ、充電ユニット３１０は、携帯用電子装置１９０に接続するのに適しているので、携帯用電子装置１９０および本体５５０は、互いに近くにあることから、良好な無線通信信号を有することができる。すなわち、携帯用電子装置１９０がユーザによって充電ユニット３１０に接続されたとき、充電ユニット３１０は、携帯用電子装置１９０を充電することができる。
【００４３】
第２の音声再生ユニット３３０は、たとえばホーンまたはスピーカであり、このスピーカは、音声信号を再生する。
【００４４】
第２の処理ユニット３４０は、充電ユニット３１０、第２の通信ユニット３２０および第２の音声再生ユニット３３０に結合される。第２の処理ユニット３４０は、充電ユニット３１０と携帯用電子装置１９０との接続状態を検出する。すなわち、第２の処理ユニット３４０は、充電ユニット３１０が携帯用電子装置１９０に接続されているのかどうかを検出することができる。
【００４５】
第２の処理ユニット３４０は、第２の音声信号を、第２の通信ユニット３２０を介して受信し、接続状態に従って第２の音声信号を携帯用電子装置１９０に第２の通信ユニット３２０を介して送信する。すなわち、第２の処理ユニット３４０は、第２の通信プロトコルで第２の通信ユニット３２０を介して受信された第２の音声信号を受信することができ、第１の通信プロトコルで第２の音声信号を携帯用電子装置１９０に第２の通信ユニット３２０を介して送信することができる。
【００４６】
その後、第２の処理ユニット３４０は、第２の音声信号に応答して携帯用電子装置１９０によって生成された第３の音声信号を第２の通信ユニット３２０を介して無線で受信することができ、第３の音声信号を第１の通信ユニット５１２に第２の通信ユニット３２０を介して出力することができる。
【００４７】
上記の実施形態では、補助装置５１０の数は、たとえば１であるが、本開示に限定されない。ユーザの要求に依存して、補助装置５１０の数は、２以上として設定される。別の実施例は、以下で提示する。
【００４８】
図５は、本開示の別の実施形態によるファミリ・スマート・システムの概略図を示す。ファミリ・スマート・システム４００は、複数の補助装置４１０＿１〜４１０＿Ｎおよび本体４５０を含み、Ｎは、１より大きい正の整数である。本実施形態では、ファミリ・スマート・システム４００は、会社または住宅など、局所的な小さな領域中で構成され、補助装置４１０＿１〜４１０＿Ｎおよび本体４５０は、会社の異なるオフィスまたは住宅の異なる部屋中で構成される。
【００４９】
補助装置４１０＿１〜４１０＿Ｎの内部構成要素および関連する動作については、図３の補助装置５１０の実施形態の説明を参照できるので、説明を省略する。さらに、本体４５０の内部構成要素および関連する動作については、図３および図４の本体５５０の実施形態の説明を参照できるので、説明を省略する。
【００５０】
さらにまた、本体４５０が、第２の音声信号に応答して携帯用電子装置１９０によって生成された第３の音声信号を受信したとき、本体４５０は、第３の音声信号を、第２の音声信号を生成した対応する補助装置に出力することができる、または第３の音声信号を、補助装置４１０＿１〜４１０＿Ｎのすべてに同時に出力することができるので、補助装置（複数可）は、第３の音声信号に従って処理プロセスに対応する、対応する処理を実施することができ、第２の音声信号に対応する第３の音声信号を再生することができる。
【００５１】
さらにまた、補助装置４１０＿１〜４１０＿Ｎは、また、互いに通信することができるので、本体４５０は、第３の音声信号を、補助装置４１０＿１など、第２の音声信号を生成した対応する補助装置に出力することができ、次いで第３の音声信号は、他の補助装置４１０＿２〜４１０＿Ｎに同時に補助装置４１０＿１を介して出力される、または第３の音声信号は、１つの送信方法によって補助装置を介して順々に送信される（たとえば、補助装置４１０＿１は、第３の音声信号を補助装置４１０＿２に送信し、補助装置４１０＿２は、第３の音声信号を補助装置４１０＿３に送信し、次々に、補助装置４１０＿Ｎ−１は、第３の音声信号を補助装置４１０＿Ｎに送信する）、それによって補助装置４１０＿１〜４１０＿Ｎは、処理プロセスに対応する、対応する動作を実施し、第２の音声信号に対応する第３の音声信号を再生する。
【００５２】
したがって、ユーザおよび携帯用電子装置１９０が異なるオフィスまたは部屋に位置しているとき、ユーザは、携帯用電子装置１９０に対して音声制御動作を補助装置４１０＿１〜４１０＿Ｎおよび本体４５０を介して遠距離でやはり実施することができ、それによって使用の便利さが向上される。
【００５３】
上記の実施形態では、補助装置およびファミリ・スマート・システムは、単一の携帯用電子装置１９０に対応するだけであるが、本開示に限定されない。補助装置およびファミリ・スマート・システムは、複数の携帯用電子装置に対応し、第１の音声信号を解析して識別することができ、それによって対応する携帯用電子装置を見つけてその後のプロセスを実施する。別の実施例は、次に提示する。
【００５４】
図６は、本開示の実施形態による複数の補助装置の概略図を示す。補助装置２００＿１〜２００＿Ｎは、互いに通信することができ、補助装置２００＿１〜２００＿Ｎの内部構成要素および関連する動作については、図１の補助装置１００の実施形態の説明を参照できるので、説明を省略する。
【００５５】
実施形態では、補助装置２００＿１〜２００＿Ｎは、複数の携帯用電子装置１９０＿１〜１９０＿Ｎに対応し、補助装置２００＿１〜２００＿Ｎのそれぞれが、ルックアップ・テーブルを備えて構成することができ、ルックアップ・テーブルは、キーワードと携帯用電子装置との対応関係を記録する。たとえば、キーワード「ハロー、ジェフリー」が携帯用電子装置１９０＿１に対応し、キーワード「ハロー、ジャック」が携帯用電子装置１９０＿２に対応し、他のキーワードおよび他の携帯用電子装置については、上記の説明を参照できる。補助装置２００＿１〜２００＿Ｎは、たとえば１つずつ携帯用電子装置１９０＿１〜１９０＿Ｎに接続される。すなわち、補助装置２００＿１は、携帯用電子装置１９０＿１に接続され、補助装置２００＿２は、携帯用電子装置１９０＿２に接続され、次々に、補助装置２００＿Ｎは、携帯用電子装置１９０＿Ｎに接続される。
【００５６】
一実施形態では、補助装置２００＿１〜２００＿Ｎの１つ（たとえば携帯用電子装置１９０＿１に接続された補助装置２００＿１）が第１のオーディオ信号を受信した後、補助装置２００＿１は、第１の音声信号をさらに解析し識別することができて、「ハロー、ジェフリー」など、第１の音声信号のキーワードを得る。次いで、補助装置２００＿１は、第１の音声信号のキーワードに従ってルックアップ・テーブル中を検索することができ、それによって携帯用電子装置１９０＿１など、第１の音声信号に対応する携帯用電子装置および補助装置２００＿１など、携帯用電子装置１９０＿１に接続された補助装置を見つけ出す。
【００５７】
第１の音声信号に対応する携帯用電子装置は、携帯用電子装置１９０＿１であり、携帯用電子装置１９０＿１に接続された補助装置は、補助装置２００＿１であるので、補助装置２００＿１は、第２の音声信号を受信し、次いで第２の音声信号を携帯用電子装置１９０＿１に送信する。携帯用電子装置１９０＿１が第２の音声信号を受信した後、携帯用電子装置１９０＿１は、第２の音声信号に従って第３の音声信号を生成し、第３の音声信号は、第２の音声信号に応答した結果として扱われる。
【００５８】
その後、補助装置２００＿１は、無線で携帯用電子装置１９０＿１によって送信された第３の音声信号を受信して、第３の音声信号に従って処理プロセスに対応する、対応する動作を実施し、第３の音声信号を再生する。
【００５９】
別の実施形態では、補助装置２００＿１〜２００＿Ｎの１つ（たとえば携帯用電子装置１９０＿１に接続された補助装置２００＿１）が第１のオーディオ信号を受信した後、補助装置２００＿１は、第１の音声信号をさらに解析し識別することができて、「ハロー、ジャック」など、第１の音声信号のキーワードを得る。次いで、補助装置２００＿１は、第１の音声信号のキーワードに従ってルックアップ・テーブル中を検索することができ、それによって携帯用電子装置１９０＿２など、第１の音声信号に対応する携帯用電子装置および補助装置２００＿２など、携帯用電子装置１９０＿２に接続された補助装置を見つけ出す。
【００６０】
その後、補助装置２００＿１は、第２の音声信号を受信することができ、第２の音声信号を、携帯用電子装置１９０＿２に接続された補助装置２００＿２に送信し、補助装置２００＿２は、第２の音声信号を携帯用電子装置１９０＿２に送信する。携帯用電子装置１９０＿２が第２の音声信号を受信した後、携帯用電子装置１９０＿２は、第２の音声信号に従って第３の音声信号を生成することができ、第３の音声信号は、第２の音声信号に応答した結果として扱われる。
【００６１】
次いで、補助装置２００＿２は、無線で携帯用電子装置１９０＿２によって送信された第３の音声信号を受信し、第３の音声信号を、最初に直接または他の補助装置を介して第２の音声信号を送信した補助装置２００＿１（すなわち、第１の音声信号を受信した補助装置）に送信するので、補助装置２００＿１は、第３の音声信号を受信し、第３の音声信号に従って処理プロセスに対応する、対応する動作を実施し、第３の音声信号を再生する。補助装置２００＿１、補助装置２００＿２および残された携帯用電子装置１９０＿２〜１９０＿Ｎの間の通信方法、または他の補助装置２００＿２〜２００＿Ｎのそれぞれと携帯用電子装置１９０＿２〜１９０＿Ｎのそれぞれとの間の通信方法については、上記の実施形態の説明を参照できるので、説明を省略する。
【００６２】
上記の実施形態では、ルックアップ・テーブルは、キーワードと携帯用電子装置との対応関係を記録するが、しかし本開示に限定されない。別の実施形態では、補助装置のそれぞれ中に構成されたルックアップ・テーブルは、たとえば、声紋と携帯用電子装置との対応関係を記録する。たとえば、声紋「Ａ」は、携帯用電子装置１９０＿１に対応し、声紋「Ｂ」は、携帯用電子装置１９０＿２に対応し、他の声紋と他の携帯用電子装置については、上記の説明を参照できる。声紋「Ａ」、声紋「Ｂ」、次々は、限定しないが「ハロー、ジェフリー」など、同じワードに対応する。
【００６３】
一実施形態では、補助装置２００＿１〜２００＿Ｎの１つ（たとえば携帯用電子装置１９０＿１に接続された補助装置２００＿１）が第１のオーディオ信号を受信した後、補助装置２００＿１は、第１の音声信号をさらに解析し識別することができて、「ハロー、ジェフリー」および対応する声紋「Ａ」など、第１の音声信号のワードおよび対応する声紋を得る。次いで、補助装置２００＿１は、第１の音声信号の声紋に従ってルックアップ・テーブル中を検索し比較することができ、それによって携帯用電子装置１９０＿１など、第１の音声信号に対応する携帯用電子装置および補助装置２００＿１など、携帯用電子装置１９０＿１に接続された補助装置を見つけ出す。
【００６４】
第１の音声信号に対応する携帯用電子装置は、携帯用電子装置１９０＿１であり、携帯用電子装置１９０＿１に接続された補助装置は、補助装置２００＿１であるので、補助装置２００＿１は、第２の音声信号を受信し、次いで第２の音声信号を携帯用電子装置１９０＿１に送信する。携帯用電子装置１９０＿１が、第２の音声信号を受信した後、携帯用電子装置１９０＿１は、第２の音声信号に従って第３の音声信号を生成し、第３の音声信号は、第２の音声信号に応答した結果として扱われる。
【００６５】
その後、補助装置２００＿１は、無線で携帯用電子装置１９０＿１によって送信された第３の音声信号を受信し、それによって第３の音声信号に従って処理プロセスに対応する、対応する動作を実施し、第３の音声信号を再生する。
【００６６】
別の実施形態では、補助装置２００＿１〜２００＿Ｎの１つ（たとえば携帯用電子装置１９０＿１に接続された補助装置２００＿１）が第１のオーディオ信号を受信した後、補助装置２００＿１は、第１の音声信号をさらに解析し識別することができて、「ハロー、ジェフリー」および対応する声紋「Ｂ」など、第１の音声信号のワードおよび対応する声紋を得る。次いで、補助装置２００＿１は、第１の音声信号の声紋に従ってルックアップ・テーブル中を検索し比較し、それによって携帯用電子装置１９０＿２など、第１の音声信号に対応する携帯用電子装置および補助装置２００＿２など、携帯用電子装置１９０＿２に接続された補助装置を見つけ出す。
【００６７】
その後、補助装置２００＿１は、第２の音声信号を受信することができ、第２の音声信号を、携帯用電子装置１９０＿２に接続された補助装置２００＿２に送信し、補助装置２００＿２は、第２の音声信号を携帯用電子装置１９０＿２に送信する。携帯用電子装置１９０＿２が第２の音声信号を受信した後、携帯用電子装置１９０＿２は、第２の音声信号に従って第３の音声信号を生成することができ、第３の音声信号は、第２の音声信号に応答した結果として扱われる。
【００６８】
次いで、補助装置２００＿２は、無線で携帯用電子装置１９０＿２によって送信された第３の音声信号を受信し、第３の音声信号を、最初に直接または他の補助装置を介して第２の音声信号を送信した補助装置２００＿１（すなわち第１の音声信号を受信した補助装置）に送信するので、補助装置２００＿１は、第３の音声信号を受信し、第３の音声信号に従って処理プロセスに対応する、対応する動作を実施し、そして第３の音声信号を再生する。補助装置２００＿１、補助装置２００＿２および残された携帯用電子装置１９０＿２〜１９０＿Ｎの間の通信方法、または他の補助装置２００＿２〜２００＿Ｎのそれぞれと携帯用電子装置１９０＿２〜１９０＿Ｎのそれぞれとの間の通信方法については、上記の実施形態の説明を参照できるので、説明を省略する。
【００６９】
したがって、補助装置２００＿１〜２００＿Ｎは、携帯用電子装置１９０＿１〜１９０＿Ｎに対応することができ、異なる第１の音声信号を解析し識別することができて、対応する携帯用電子装置を見つけ、それによって補助装置２００＿１〜２００＿Ｎのそれぞれが、次の第２の音声信号を対応する携帯用電子装置に送信することができ、対応する携帯用電子装置によって送信された第３の音声信号を受信することができて、その後のプロセスを実施し、それによって使用の便利さが向上される。
【００７０】
図７は、本開示の実施形態によるファミリ・スマート・システムの別の概略図を示す。ファミリ・スマート・システムは、複数の補助装置５１０＿１〜５１０＿Ｎおよび複数の本体５５０＿１〜５５０＿Ｎを含み、Ｎは、１より大きい正の整数である。補助装置５１０＿１〜５１０＿Ｎの内部構成要素および関連する動作については、図３の補助装置５１０の実施形態の記載を参照できるので、説明を省略する。さらに、本体５５０＿１〜５５０＿Ｎは、互いに結合され、互いに通信し、そして本体５５０＿１〜５５０＿Ｎの内部構成要素および関連する動作については、図４の本体５５０の実施形態の記載を参照できるので、説明を省略する。さらにまた、ファミリ・スマート・システム７００は、携帯用電子装置１９０＿１〜１９０＿Ｎに対応し、本体５５０＿１〜５５０＿Ｎは、それぞれ、１つずつそれに応じて携帯用電子装置１９０＿１〜１９０＿Ｎに接続される。すなわち、本体５５０＿１は、携帯用電子装置１９０＿１に対応し、本体５５０＿２は、携帯用電子装置１９０＿２に対応し、次々に、本体５５０＿Ｎは、携帯用電子装置１９０＿Ｎに対応する。
【００７１】
本実施形態では、補助装置５１０＿１〜５１０＿Ｎのそれぞれを、ルックアップ・テーブルを備えて構成することができ、ルックアップ・テーブルは、キーワードと本体と携帯用電子装置との対応関係を記録する。たとえば、キーワード「ハロー、ジェフリー」は、本体５５０＿１および携帯用電子装置１９０＿１に対応し、キーワード「ハロー、ジャック」は、本体５５０＿２および携帯用電子装置１９０＿２に対応し、他のキーワードおよび他の携帯用電子装置については、上記の説明を参照できる。
【００７２】
一実施形態では、補助装置５１０＿１〜５１０＿Ｎの１つ（たとえば補助装置５１０＿１）が第１のオーディオ信号を受信した後、補助装置５１０＿１は、第１の音声信号をさらに解析し識別することができて、「ハロー、ジェフリー」など、第１の音声信号のキーワードを得る。次いで、補助装置５１０＿１は、第１の音声信号のキーワードに従ってルックアップ・テーブル中を検索することができ、それによって携帯用電子装置１９０＿１など、第１の音声信号に対応する携帯用電子装置および本体５５０＿１など、携帯用電子装置１９０＿１に接続された本体を見つけ出す。
【００７３】
第１の音声信号に対応する携帯用電子装置は、携帯用電子装置１９０＿１であり、携帯用電子装置１９０＿１に接続された本体は、本体５５０＿１であるので、補助装置５１０＿１は、第２の音声信号を受信し、第２の音声信号を本体５５０＿１に送信し、次いで本体５５０＿１は、第２の音声信号を携帯用電子装置１９０＿１に送信する。携帯用電子装置１９０＿１が第２の音声信号を受信した後、携帯用電子装置１９０＿１は、第２の音声信号に従って第３の音声信号を生成し、第３の音声信号は、第２の音声信号に応答した結果として扱われる。
【００７４】
その後、本体５５０＿１は、無線で携帯用電子装置１９０＿１によって送信された第３の音声信号を受信し、第３の音声信号を、最初に第２の音声信号を直接、または他の本体を介して、または他の補助装置を介して送信した補助装置５１０＿１（すなわち第１の音声信号を受信した補助装置）に送信するので、補助装置５１０＿１は、第３の音声信号を受信して、第３の音声信号に従って処理プロセスに対応する、対応する動作を実施し、そして第３の音声信号を再生する。
【００７５】
別の実施形態では、補助装置５１０＿１〜５１０＿Ｎの１つ（たとえば補助装置５１０＿１）が第１のオーディオ信号を受信した後、補助装置５１０＿１は、第１の音声信号をさらに解析し識別することができて、「ハロー、ジャック」など、第１の音声信号のキーワードを得る。次いで、補助装置５１０＿１は、第１の音声信号のキーワードに従ってルックアップ・テーブル中を検索することができ、それによって携帯用電子装置１９０＿２など、第１の音声信号に対応する携帯用電子装置および本体５５０＿２など、携帯用電子装置１９０＿２に接続された本体を見つけ出す。
【００７６】
その後、補助装置５１０＿１は、第２の音声信号を受信することができ、第２の音声信号を、携帯用電子装置１９０＿２に接続された本体５５０＿２に直接または他の補助装置を介して送信し、本体５５０＿２は、第２の音声信号を携帯用電子装置１９０＿２に送信する。携帯用電子装置１９０＿２が第２の音声信号を受信した後、携帯用電子装置１９０＿２は、第２の音声信号に従って第３の音声信号を生成することができ、第３の音声信号は、第２の音声信号に応答した結果として扱われる。
【００７７】
次いで、本体５５０＿２は、無線で携帯用電子装置１９０＿２によって送信された第３の音声信号を受信し、第３の音声信号を、最初に第２の音声信号を直接または他の本体を介して送信した補助装置５１０＿１（すなわち第１の音声信号を受信した補助装置）に送信するので、補助装置５１０＿１は、第３の音声信号を受信し、第３の音声信号に従って処理プロセスに対応する、対応する動作を実施し、そして第３の音声信号を再生する。補助装置５１０＿１、補助装置５５０＿２および残された携帯用電子装置１９０＿２〜１９０＿Ｎの間の通信方法、または他の補助装置５１０＿２〜５１０＿Ｎのそれぞれと携帯用電子装置１９０＿２〜１９０＿Ｎのそれぞれとの間の通信方法については、上記の実施形態の説明を参照できるので、説明を省略する。
【００７８】
上記の実施形態では、ルックアップ・テーブルは、キーワードと携帯用電子装置との対応関係を記録するが、しかし本開示に限定されない。別の実施形態では、補助装置５１０＿１〜５１０＿Ｎのそれぞれ中に構成されたルックアップ・テーブルは、たとえば声紋と携帯用電子装置との対応関係を記録する。たとえば、声紋「Ａ」は、携帯用電子装置１９０＿１に対応し、声紋「Ｂ」は、携帯用電子装置１９０＿２に対応し、他の声紋および他の携帯用電子装置については、上記の記載を参照できる。声紋「Ａ」、声紋「Ｂ」、次々は、限定されないが「ハロー、ジェフリー」など、同じワードに対応する。
【００７９】
一実施形態では、補助装置５１０＿１〜５１０＿Ｎの１つ（たとえば補助装置５１０＿１）が第１のオーディオ信号を受信した後、補助装置５１０＿１は、第１の音声信号をさらに解析し識別することができて、「ハロー、ジェフリー」および対応する声紋「Ａ」など、第１の音声信号のワードおよび対応する声紋を得る。次いで、補助装置５１０＿１は、第１の音声信号の声紋に従ってルックアップ・テーブル中を検索し比較することができ、それによって携帯用電子装置１９０＿１など、第１の音声信号に対応する携帯用電子装置および補助装置５５０＿１など、携帯用電子装置１９０＿１に接続された補助装置を見つけ出す。
【００８０】
第１の音声信号に対応する携帯用電子装置は、携帯用電子装置１９０＿１であり、携帯用電子装置１９０＿１に接続された本体は、本体５５０＿１であるので、補助装置５１０＿１は、第２の音声信号を受信し、第２の音声信号を本体５５０＿１に送信し、次いで本体５５０＿１は、第２の音声信号を携帯用電子装置１９０＿１に送信する。携帯用電子装置１９０＿１が第２の音声信号を受信した後、携帯用電子装置１９０＿１は、第２の音声信号に従って第３の音声信号を生成し、第３の音声信号は、第２の音声信号に応答した結果として扱われる。
【００８１】
その後、本体５５０＿１は、無線で携帯用電子装置１９０＿１によって送信された第３の音声信号を受信し、第３の音声信号を、最初に第２の音声信号を直接、または他の本体を介して、または他の補助装置を介して送信した補助装置５１０＿１（すなわち第１の音声信号を受信した補助装置）に送信するので、補助装置５１０＿１は、第３の音声信号を受信し、第３の音声信号に従って処理プロセスに対応する、対応する動作を実施し、そして第３の音声信号を再生する。
【００８２】
別の実施形態では、補助装置５１０＿１〜５１０＿Ｎの１つ（たとえば補助装置５１０＿１）が第１のオーディオ信号を受信した後、補助装置５１０＿１は、第１の音声信号をさらに解析し識別することができて、「ハロー、ジェフリー」および対応する声紋「Ｂ」など、第１の音声信号のワードおよび対応する声紋を得る。次いで、補助装置５１０＿１は、第１の音声信号の声紋に従ってルックアップ・テーブル中を検索し比較することができ、それによって携帯用電子装置１９０＿２など、第１の音声信号に対応する携帯用電子装置および本体５５０＿２など、携帯用電子装置１９０＿２に接続された本体を見つけ出す。
【００８３】
その後、補助装置５１０＿１は、第２の音声信号を受信することができ、第２の音声信号を、携帯用電子装置１９０＿２に接続された本体５５０＿２に直接、または他の補助装置を介して送信し、次いで本体５５０＿２は、第２の音声信号を携帯用電子装置１９０＿２に送信する。携帯用電子装置１９０＿２が第２の音声信号を受信した後、携帯用電子装置１９０＿２は、第２の音声信号に従って第３の音声信号を生成することができ、第３の音声信号は、第２の音声信号に応答した結果として扱われる。
【００８４】
次いで、本体５５０＿２は、無線で携帯用電子装置１９０＿２によって送信された第３の音声信号を受信し、第３の音声信号を、最初に第２の音声信号を直接、または他の本体を介して、または他の補助装置を介して送信した補助装置５１０＿１（すなわち第１の音声信号を受信した補助装置）に送信するので、補助装置５１０＿１は、第３の音声信号を受信し、第３の音声信号に従って処理プロセスに対応する、対応する動作を実施し、そして第３の音声信号を再生する。補助装置５１０＿１、補助装置５５０＿２および残された携帯用電子装置１９０＿２〜１９０＿Ｎの間の通信方法、または他の補助装置５１０＿２〜５１０＿Ｎのそれぞれと携帯用電子装置１９０＿２〜１９０＿Ｎのそれぞれとの間の通信方法については、上記の実施形態の説明を参照できるので、説明を省略する。
【００８５】
したがって、補助装置５１０＿１〜５１０＿Ｎは、携帯用電子装置１９０＿１〜１９０＿Ｎに対応することができ、そして異なる第１の音声信号を解析し識別することができて、対応する携帯用電子装置を見つけるので、補助装置５１０＿１〜５１０＿Ｎのそれぞれは、次の第２の音声信号を対応する携帯用電子装置に送ることができ、対応する携帯用電子装置によって送信された第３の音声信号を受信することができて、その後のプロセスを実施し、それによって使用の便利さが向上される。
【００８６】
本開示の実施形態の補助装置およびファミリ・スマート・システムによれば、補助装置は、ユーザによって生成された第２の音声信号を携帯用電子装置に送信して処理し、または、補助装置および本体は、ユーザによって生成された第２の音声信号を携帯用電子装置に送信して処理し、次いで、補助装置は、第２の音声信号に応答して携帯用電子装置によって生成された第３の音声信号を受信し、それによって第３の音声信号に従って対応する動作を実施し、第２の音声信号に対応する第３の音声信号を再生し、または、補助装置および本体は、第２の音声信号に応答して携帯用電子装置によって生成された第３の音声信号を受信し、それによって第３の音声信号に従って対応する動作を実施し、第２の音声信号に対応する第３の音声信号を再生する。さらに、実施形態は、複数の携帯用電子装置に対応する複数の補助装置に、または、複数の携帯用電子装置に対応する複数の補助装置および複数の本体に適することができる。したがって、ユーザは、携帯用電子装置（複数可）に対して音声制御動作を、補助装置（複数可）を介して、または補助装置（複数可）および本体（複数可）を介して遠距離で、やはり実施することができ、それによって使用の便利さが向上される。
【００８７】
いくつかの用語が、特定の構成要素を参照するために、本明細書および次の請求項の至るところで使用されている。当業者が正しく認識されるように、製造業者は、異なる名称で構成要素をいう場合がある。この文書は、名前が異なるが機能はそうでない構成要素を区別する意図はない。次の記載および請求項では、用語「含む（include/including）」および「含む（comprise/comprising）」は、オープン・エンドで使用され、それゆえ「含むがそれらに限定されない（including but not limited to）」と解釈すべきである。「実質的な／実質的に（substantial/substantially）」は、許容可能なエラーの範囲内であるということを意味し、当業者があるエラーの範囲内で技術的な問題を解決することができ、それによって基本的な技術的な効果が達成される。さらに、用語「結合する（couple）」または「接続する（connect）」は、いずれもの直接的な、または間接的な電気的結合手段をカバーする。したがって、１つの装置が文脈上別の装置に電気的に結合されているとき、その接続は、直接的な電気的接続を使用して、または間接的な電気的接続を使用して他の装置および接続部を介したものとすることができる。次の記載は、本考案を実施する最善に考慮されたモードについてである。この記載は、本考案の一般的な原理を例示するためになされたものであり、限定する意味で理解すべきでない。本考案の範囲は、添付の請求項を参照して最善に決定される。
【００８８】
さらに、用語「含む（include）」、「含む（contain）」およびそのいずれもの変形は、非排他的な包含をカバーすると意図される。したがって、一連の要素を含むプロセス、方法、物体または装置は、これらの要素だけでなく、明示的に規定されていない他の要素も含み、または、プロセス、方法、物体または装置の本来備わっている要素を含むことができる。特段の限定がない場合、「含む（include a/an …）」によって限定される要素は、要素を含むプロセス、方法、品物または装置に既存の他の同じ要素を排除しない。
【００８９】
その好ましい実施形態に関して本開示を述べてきたが、これは、本開示を限定する意図はない。本考案の趣旨を逸脱せずに、例示の実施形態の他の変形を、本明細書に具体的に述べたそれらの実施形態以外に、実施することができることは、この開示に関心がある当業者に明らかになるはずである。それゆえ、かかる変形は、添付の請求項のみによって限定される本考案の範囲内にあると見なされる。
【図１】
0003209363.tif 000003
【図２】
0003209363.tif 000004
【図３】
0003209363.tif 000005
【図４】
0003209363.tif 000006
【図５】
0003209363.tif 000007
【図６】
0003209363.tif 000008
【図７】
0003209363.tif 000009